(57)【要約】音源装置からの音声を無線ヘッドセットを介して中継するための方法と装置が提供される。音声信号は、ブルートゥースのような近距離接続を介して音源装置から受信される。命令は、音声信号をカーステレオに中継するためのＦＭ送信機を起動するために、受け取られる。受信された音声信号は、ＦＭ送信機を介して出力される。【選択図】図１
2011514019.tif 000002
【特許請求の範囲】
【請求項１】
第１の無線通信プロトコルを介して音源装置から音声信号を受信し、
前記第１の無線通信プロトコルとは異なる第２の無線通信プロトコルに関連がある送信機を起動する命令を受け取り、
前記受信した音声信号を前記送信機を介して出力すること
を含む方法。
【請求項２】
前記第１の無線通信プロトコルは、短距離高周波無線通信プロトコルを含む、請求項１記載の方法。
【請求項３】
前記短距離高周波無線通信プロトコルは、ブルートゥースプロトコルを含む、請求項２記載の方法。
【請求項４】
前記第２の無線通信プロトコルは、周波数変調（ＦＭ）無線信号伝送又は振幅変調（ＡＭ）無線信号伝送のうちの１つを含む、請求項１記載の方法。
【請求項５】
送信機を起動する命令を受け取ることは、前記受信した音声信号を出力する周波数を指定する、前記送信機に関連する環境設定を受け取ることを更に含む、請求項１記載の方法。
【請求項６】
前記環境設定を受け取ることは、前記音源装置から受信された非音楽音声がどのように処理されるかを指定する非音楽音声処理命令を受け取ることを更に含む、請求項５記載の方法。
【請求項７】
前記非音楽音声処理命令は、前記送信機を介して非音楽音声を出力する命令、または前記送信機を介した非音楽音声の出力を阻止する命令のうちの１つを含む、請求項６記載の方法。
【請求項８】
前記非音楽音声は、電話の通話音声を含む、請求項６記載の方法。
【請求項９】
前記音源装置から非音楽音声を受信することと、
前記受け取った非音楽音声処理命令に基づき、前記送信機を介して前記非音楽音声を出力すること、または前記送信機を介した前記非音楽音声の出力を阻止することのうちの１つを実行すること
を更に含む、請求項５記載の方法。
【請求項１０】
前記送信機を介した前記非音楽音声の出力を阻止することは、前記音源装置からの音楽以外を受信する期間に、前記送信機の音を弱めることを含む、請求項９記載の方法。
【請求項１１】
前記送信機を介して前記非音楽音声を出力することは、スピーカーフォン機能を起動することを更に含む、請求項９記載の方法。
【請求項１２】
第１の無線通信プロトコルを介して音源装置から音声を受信する短距離無線送受信機と、
前記第１の無線通信プロトコルとは異なる第２の無線通信プロトコルを介して、前記受信した音声を出力する送信機と、
設定命令を受け取り、前記設定命令に応じて前記送信機を起動する処理装置と
を含む無線聴取装置。
【請求項１３】
前記第２の無線通信プロトコルは、周波数変調（ＦＭ）放送を含む、請求項１２記載の無線聴取装置。
【請求項１４】
前記設定命令を受け取るための入力装置を更に含む、請求項１２記載の無線聴取装置。
【請求項１５】
前記設定命令は、送信機起動命令と、前記受信した音声を前記送信機が出力する放送周波数とを含む、請求項１２記載の無線聴取装置。
【請求項１６】
前記設定命令は、非音楽音声処理命令を含む、請求項１２記載の無線聴取装置。
【請求項１７】
前記短距離無線送受信機は、ブルートゥース送受信機を含む、請求項１２記載の無線聴取装置。
【請求項１８】
音楽音声信号と非音楽音声信号を含む音声信号をブルートゥース接続を介して音源装置から受信する手段と、
非音楽音声処理命令を受け取る手段と、
前記音源装置から受信した音声信号を周波数変調（ＦＭ）周波数信号を介して伝送する手段と、
前記受け取った非音楽音声処理命令に基づいて、前記音源装置から受信した非音楽音声を処理する手段と
を含む装置。
【請求項１９】
前記非音楽音声処理命令は、非音楽音声が前記ＦＭ周波数信号を介して送信されるか否かを指示する、請求項１８記載の装置。
【請求項２０】
非音楽音声が前記ＦＭ周波数信号を介して送信されないことを前記非音楽音声処理命令が指示する場合は、前記非音楽音声信号の音を弱める手段を更に含む、請求項１９記載の装置。
【請求項２１】
非音楽音声が前記ＦＭ周波数信号を介して送信されることを前記非音楽音声処理命令が指示する場合は、スピーカーフォン機能を起動する手段を更に含む、請求項１９記載の装置。
【発明の詳細な説明】
【技術分野】
【０００１】
本発明は、ＦＭ送信機付き無線ヘッドセットに関する。
【背景技術】
【０００２】
携帯通信装置、個人用音声又はマルチメディア装置は、現在置かれている状況下にて手を使わない操作方法や又は他と関わり合うこと無く、上記装置からの音声出力をユーザーが聞くことができることを目的として、ヘッドホン、ヘッドセット、又は他の付属装置と併用して操作することができる。無線通信プロトコルは、音源装置からの音声を互換性あるヘッドセットや一組のステレオヘッドホンに伝送することで知られている。
【発明の概要】
【０００３】
第１の観点によれば、第１の無線通信プロトコルを介して音源装置から音声信号を受信し、前記第１の無線通信プロトコルとは異なる第２の無線通信プロトコルに関連がある送信機を起動する命令を受け取り、受信した音声信号を送信機を介して出力することを含むことができる方法が提供される。
また、上記第１の無線通信プロトコルは、短距離高周波無線通信プロトコルを含むことができる。
また、上記短距離高周波無線通信プロトコルは、ブルートゥースプロトコルを含むことができる。
また、前記第２の無線通信プロトコルは、周波数変調（ＦＭ）無線信号伝送又は振幅変調（ＡＭ）無線信号伝送のうちの１つを含むことができる。
【０００４】
また、送信機を起動する命令を受け取ることは、受信した音声信号を出力する周波数を指定する、送信機に関連する環境設定（ｃｏｎｆｉｇｕｒａｔｉｏｎ  ｓｅｔｔｉｎｇｓ）を受け取ることを更に含むことができる。
【０００５】
また、上記環境設定を受け取ることは、音源装置から受信された非音楽音声（non−music  audio）がどのように処理されるかを指定する非音楽音声処理命令を受け取ることを更に含むことができる。
【０００６】
また、上記非音楽音声処理命令は、送信機を介して非音楽音声を出力する命令、または送信機を介した非音楽音声の出力を阻止する命令のうちの１つを含むことができる。
また、上記非音楽音声は、通話音声を含むことができる。
【０００７】
また、上記方法は、音源装置から非音楽音声を受信することと、受け取った非音楽音声処理命令に基づき、送信機を介して非音楽音声を出力すること、または送信機を介した非音楽音声の出力を阻止することのうちの１つを実行することを更に含むことができる。
また、上記送信機を介した非音楽音声の出力を阻止することは、音源装置からの非音楽の受信の期間に、送信機の音を弱めること（ｍｕｔｉｎｇ）を含むことができる。
また、上記送信機を介して非音楽音声を出力することは、スピーカーフォン機能を起動することを更に含むことができる。
【０００８】
第２の観点によれば、第１の無線通信プロトコルを介して音源装置から音声を受信する短距離送受信機と、第１の無線通信プロトコルとは異なる第２の無線通信プロトコルを介して、受信した音声を出力する送信機と、設定命令を受け取り、設定命令に応じて送信機を起動する処理装置を含むことができる無線聴取装置が提供される。
また、上記第２の無線通信プロトコルは、周波数変調（ＦＭ）放送を含むことができる。
また、上記無線聴取装置は、設定命令を受け取るための入力装置を更に含むことができる。
また、上記設定命令は、送信機起動命令と、受信した音声を送信機が出力する放送周波数とを含むことができる。
また、上記設定命令は、非音楽音声処理命令を含むことができる。
また、上記短距離送受信機は、ブルートゥース送受信機を含むことができる。
【０００９】
第３の観点によれば、音楽音声信号と非音楽音声信号とを含む音声信号をブルートゥース通信を介して音源装置から受信する手段と、非音楽音声処理命令を受け取る手段と、音源装置から受信した音声信号を周波数変調（ＦＭ）周波数信号を介して送信する手段と、受け取った非音楽音声処理命令に基づいて、音源装置から受信した非音楽音声を処理する手段を含むことができる装置が提供される。
また、上記非音楽音声処理命令は、非音楽音声がＦＭ周波数信号を介して送信されるか否かを指示することができる。
【００１０】
また、上記装置は、非音楽音声がＦＭ周波数信号を介して送信されないことを非音楽音声処理命令が指示する場合は、非音楽音声信号を弱める手段を含むことができる。
【００１１】
また、上記装置は、非音楽音声がＦＭ周波数信号を介して送信されることを非音楽音声処理命令が指示する場合は、スピーカーフォン機能を起動する手段を含むことができる。
【図面の簡単な説明】
【００１２】
この明細書の一部を構成する添付図面は、発明の実施形態を図示し、他の説明と共に発明を説明する。
【図１】ここに述べられるシステムと方法を実現可能なシステムの一例を示す図である。
【図２】図１の音源装置の一例を示す図である。
【図３】図１の第１聴取装置の一例を示す図である。
【図４】図１の装置間の音声中継を促進する処理の一例を示すフローチャートである。
【図５】図４のＦＭ送信機設定情報を受け取るためのグラフィックユーザーインターフェースの一例を示す。
【図６】ＦＭ送信機設定情報を受け取るように構成された図１の第１聴取装置の一例を示す図である。
【発明を実施するための形態】
【００１３】
以下の発明の詳細な説明は、添付図面を参照する。異なる図の同じ参照番号は、同一又は類似の要素を特定することができる。また、以下の詳細な説明は、発明を限定するものではない。
【００１４】
第１聴取装置に組み込まれているＦＭ（周波数変調）やＡＭ（振幅変調）送受信機を介して、第１聴取装置から第２聴取装置へ音声を円滑に移行可能にする、システムと方法が説明されている。ある実施形態では、携帯機器（例えば、携帯電話機）は、例えばブルートゥースプロトコルなどの無線プロトコルで、ヘッドセット装置に音声信号を通信することができる。ヘッドセット装置は、次々に、受信した音声信号を第２聴取装置（例えば、自動車のステレオ）にＦＭ送信機を介して中継することができる。個人用ヘッドセット付属品から他の聴取装置に音声を中継することで、ユーザーにとって望ましい聴取環境に応じて、携帯機器からの音声の聴取を、第１装置から第２装置へ容易に移行することができる。
【００１５】
[システムの一例]
図１は、ここで述べられるシステムと方法を実現可能なシステム１００の一例を示す図である。図１に示されるように、システム１００は、音源装置１１０、第１聴取装置１２０、第２聴取装置１３０を含むことができる。一実施形態では、音源装置１１０は、表示部１４０、キーパッド１４５、スピーカー１５０、マイク１５５を含むことができる。ここで使われている「要素」という用語は、ハードウェア、ソフトウェア、および／またはハードウェアとソフトウェアの組み合わせを含むように広義に解釈され得る。
【００１６】
表示部１４０は、視覚情報を与えることが可能ないずれの要素をも含むことができる。例えば、一実施形態では、表示部１４０は、液晶ディスプレイ（ＬＣＤ）であることができる。他の実施形態では、表示部１４０は、プラズマディスプレイパネル（ＰＤＰ）、電界放出ディスプレイ（ＦＥＤ）、薄膜トランジスタ（ＴＦＴ）ディスプレイ等の他の表示技術のいずれか一つであることができる。表示部１４０は、例えば、テキスト、画像、および／または映像情報をユーザーに表示することができる。
【００１７】
キーパッド１４５は、音源装置１１０に入力を与えることが可能ないずれの要素をも含むことができる。キーパッド１４５は、標準的な電話機のキーパッドを含むことができる。キーパッド１４５は、また１つ以上の特殊用途キーを含むことができる。一実施形態では、キーパッド１４５の各キーは、例えばプッシュボタンであることができる。ユーザーは、例えばテキスト、電話番号、設定情報等の情報入力、又は特殊機能の起動にキーパッド１４５を利用することができる。
【００１８】
スピーカー１５０は、電気信号を対応する音波に変換できるいずれかの要素をも含むことができる。例えば、ユーザーは、スピーカー１５０を通して、音楽を聴いたり、通話者の話を聞くことができる。マイク１５５は、空気圧縮波を対応する電気信号に変換できるいずれかの要素を含むことができる。例えば、ユーザーは、通話中にマイク１５５に向かって話しかけることができる。
【００１９】
音源装置１１０は、例えばハンズフリー装置などの周辺装置と連携して動作できる任意数の装置を含むと広義に解釈され得る。例えば、音源装置１１０は、無線電話機、ＰＤＡ、オーディオプレーヤー、オーディオ／ビデオプレーヤー、ＭＰ３プレーヤー、ゲーム機器、コンピュータ、他の種類の通信、演算、および／または娯楽装置などの携帯装置を含むことができる。他の例では、音源装置１１０は、オーディオプレーヤー、オーディオ／ビデオプレーヤー、ゲーム機器、コンピュータ、他の種類の通信、演算、および／または娯楽装置などの固定式装置を含むことができる。さらに、音源装置１１０は、自動車や飛行機等の中の通信、演算、娯楽装置を含むことができる。従って、図１は音源装置１１０の外部要素の一例を図示しているが、他の実施形態では、音源装置１１０は、図１に描かれている外部要素よりも少ない、異なる、追加の外部要素を含むこととしても良い。加えて、または代わりに、音源装置１１０の１つ以上の外部要素は、音源装置１１０の１つ以上の他の外部要素の機能を実行しても良い。例えば、表示部１４０は、入力要素（例えば、タッチスクリーン）になっても良い。加えて、または代わりに、外部要素は、図１に描かれている外部要素とは異なるように配置されても良い。
【００２０】
第１聴取装置１２０は、音源装置１１０から生じる音声信号の個人聴取を容易にするように構成された音声ヘッドセットやヘッドフォンなどの個人聴取装置を含むことができる。第１聴取装置１２０は、音源装置１１０からの音声信号を、いずれかの好ましい無線接続により受信することができる。例えば、１つの実施形態では、第１聴取装置１２０は、ブルートゥース（登録商標）や他の類似の短距離無線接続により音源装置１１０と通信することができる。
【００２１】
第１聴取装置１２０は、一つ以上の入力機構１６０、および／または表示部（不図示）を含むことができる。入力機構１６０は、例えば動作モードや出力音声の音量、環境設定等の、第１聴取装置１２０の１つ以上の機能をユーザーに起動させることができる。
【００２２】
第２聴取装置１３０は、カーステレオ、ホームステレオ、携帯ラジオ等の他の聴取装置を含むことができる。第２聴取装置１３０は、ＦＭまたはＡＭ放送信号（ｂｒｏａｄｃａｓｔ  ｓｉｇｎａｌ）を受信するように構成することができる。一実施形態では、第２聴取装置１３０は、音源装置１１０からの音声信号を単独で直接受信することができない聴取装置になることができる。第２聴取装置１３０は、第１聴取装置１２０からの放送信号を、音源装置１１０または第１聴取装置の一方で選択された周波数で受信するように調整することができる。
【００２３】
当然のことながら、装置１１０、１２０、１３０の上述した説明は、一例に過ぎず、また、装置１１０、１２０、１３０の各々は、それぞれの機能に相応する追加の要素や機構を含むことができる。さらに、図１に描かれている装置１１０、１２０、１３０の数は、単純化のために規定されている。実際には、標準的なシステムは、図１に描かれているよりも多くの携帯装置１１０、１２０、１３０を含むことができる。
【００２４】
以下に説明される一実施形態では、音源装置１１０は、いくつかの短距離無線通信プロトコルを用いて、無線で第１聴取装置１２０と通信することができる。例えば、簡潔に上述したように、音源装置１１０は、ブルートゥースプロトコルを用いて第１聴取装置１２０と通信することができる。ブルートゥースは、装置間の通信を規定の近接内で可能とする特定の無線周波数を用いる短距離無線接続規格である。携帯装置１１０間の通信は、音源装置１１０と第１聴取装置１２０が互いを確認するためのペアリング処理を通して、確立され開始することができる。装置１１０、１２０は、もちろん、超広帯域無線やＩＥＥＥ８０２．１１ｘに基づく通信プロトコルなどの短距離無線通信プロトコルを１つ以上用いて、通信することができる。
【００２５】
[音源装置の構成の一例]
図２は、図１の音源装置１１０の一例を示す図である。図２に示されるように、音源装置１１０は、処理ロジック２０５、メモリ２１０、入力装置２１５、出力装置２２０、電力供給装置２２５、短距離無線送受信機２３０、ヘッドセット設定ロジック２３５、無線ロジック２４０、アンテナ２４５、２５０を含むことができる。当然のことながら、音源装置１１０は、受信、送信、および／またはデータ処理に役立つ他の要素（不図示）を含むことができる。さらに、当然のことながら、他の構成も可能である。
【００２６】
処理ロジック２０５は、命令を解釈して実行するいずれかのタイプのプロセッサ、マイクロプロセッサを含むことができる。ここで使われているように、ロジックは、ハードウェア、ソフトウェア、および／またはハードウェアとソフトウェアの組み合わせを含むことができる。他の実施形態では、処理ロジック２０５は、特定用途向け集積回路（ＡＳＩＣ）、フィールド・プログラマブル・ゲート・アレイ（ＦＰＧＡ）、または同様なものとして実装されたり、これらを含むことができる。
【００２７】
メモリ２１０は、音源装置１１０の動作や使用に関連するデータや命令を記憶する、いずれかのタイプの格納／記憶要素を含むことができる。例えば、メモリ２１０は、ランダム・アクセス・メモリ（ＲＡＭ）、ダイナミックＲＡＭ（ＤＲＡＭ）、スタティックＲＡＭ（ＳＲＡＭ）、同期型ＤＲＡＭ（ＳＤＲＡＭ）、強誘電体メモリ（ＦＲＡＭ）、読み出し専用メモリ（ＲＯＭ）、書き込み可能ＲＯＭ（ＰＲＯＭ）、消去可能ＰＲＯＭ（ＥＰＲＯＭ）、電気的消去可能ＰＲＯＭ（ＥＥＰＲＯＭ）、および／またはフラッシュメモリなどの記憶要素を含むことができる。また、メモリ２１０は、例えば磁気記憶要素（例えばハードディスク）、コンパクトディスク（ＣＤ）ドライブ、デジタル多用途ディスク（ＤＶＤ）、又は他の種類のコンピュータ可読媒体などと、付随するドライブの記憶要素を含むことができる。メモリ２１０は、例えばＵＳＢメモリスティック、メモリカード、および／または加入者識別モジュール（ＳＩＭ）カードなどの外部記憶要素をもちろん含むことができる。
【００２８】
メモリ２１０は、処理ロジック２０５、読み出し専用メモリ（ＲＯＭ）、処理ロジック２０５のために静的情報や命令を記憶できる他の種類の静的記憶装置、および／または、情報および／または命令を記憶するための他の種類の磁気又は光記録媒体、および対応するドライブにより実行される情報と命令を記憶するように構成することができる。処理ロジックにより実行可能な命令は、例えば電話帳、カメラ、ＤＡＰ、デジタルメディアプレーヤー（ＤＭＰ）、システム手帳、テキストメッセンジャー、ウェブブラウザ、カレンダー、ゲーム等のアプリケーションやプログラムを含むことができる。
【００２９】
入力装置２１５は、例えばキーパッド、キーボード、マウス、ペン、マイク、１つ以上の生体認証機構などの、ユーザーが携帯機器１１０−Ａに情報を入力することを可能にする装置を含むことができる。出力装置２２０は、例えばディスプレイ、プリンター、スピーカーなどの、ユーザーに情報を出力する装置を含むことができる。電力供給装置２２５は、携帯機器１１０−Ａの要素に電力を供給するため、バッテリーや同様なものを含むことができる。
【００３０】
短距離無線送受信機２３０は、ブルートゥースプロトコル（又は、他の適切な短距離無線通信プロトコル）を使用してデータと制御信号の交換が可能な送受信機器を含むことができる。簡潔に前述したように、ブルートゥースプロトコルは、パーソナル・エリア・ネットワーク（ＰＡＮｓ）を構築できる短距離高周波数規格である。ブルートゥースが使用可能な装置の組は、互いにネットワークを形成して情報を交換するために接続できる。ブルートゥースが使用可能な装置の一例は、携帯電話、ヘッドセット、メディアプレーヤー、ＰＤＡ、携帯端末機を含む。音源装置１１０の一実施例は、ブルートゥースプロトコルに関連するＡ２ＤＰプロファイルに対応できる。Ａ２ＤＰプロファイルは、接続された装置への高品質ステレオ音声の無線送信を可能にする。
【００３１】
無線ロジック２４０は、例えばセル方式の無線電話プロトコル（例えば、ＧＳＭ（グローバル・システム・フォー・モバイル・コミュニケーションズ）、ＰＣＳ（パーソナル通信サービス）、ＦＤＭＡ（周波数分割多重接続）、ＣＤＭＡ（符号分割多重接続）、ＴＤＭＡ（時分割多重接続）等）の無線通信プロトコルを用いてデータと制御信号の送信及び受信が可能な送受信機器を含むことができる。追加の実施形態では、無線ロジック２４０は、例えばブルートゥースプロトコル、１つ以上のＩＥＥＥ８０２．１１プロトコル、Ｗｉｍａｘプロトコル、超広帯域プロトコル、他の好適な無線通信プロトコル等の近距離無線通信プロトコルを利用することができる。
アンテナ２４５、２５０は、例えば、１つ以上の指向性アンテナ、および／または無指向性アンテナを含むことができる。
【００３２】
ここで説明される態様に相応する一実施形態では、処理ロジック２０５は、第１聴取装置１２０に関連するＦＭ送信機環境設定を受け取るように構成することができる。このような環境設定は、ＦＭ送信機能の起動、音声型操作命令、送信周波数設定を含むことができる。この機能についての追加詳細は、以下で詳述する。
【００３３】
図３は、図１の第１聴取装置１２０の一例を示す図である。図示されているように、携帯機器１１０−Ｂは、処理ロジック３０５、メモリ３１０、入力装置３１５、出力装置３２０、電力供給装置３２５、ＦＭ（又はＡＭ）送信機３３０、短距離無線送受信機３３５、アンテナ３４０、３４５を含むことができる。当然のことながら、第１聴取装置１２０は、受信、送信、および／またはデータ処理に役立つ他の要素（不図示）を含むことができる。さらに、当然のことながら、他の構成もあり得る。
【００３４】
上述した処理ロジック２０５と同様に、処理ロジック３０５は、命令を解釈して実行するいずれかのタイプのプロセッサ、マイクロプロセッサを含むことができる。メモリ３１０は、ランダム・アクセス・メモリ（ＲＡＭ）、処理ロジック３０５による実行のための情報や命令を記憶できる他の種類の動的記憶装置、読み出し専用メモリ（ＲＯＭ）、処理ロジック３０５のために静的情報や命令を記憶できる他の種類の静的記憶装置、および／または、情報および／または命令を記憶するための他の種類の磁気又は光記録媒体、対応するドライブを含むことができる。
【００３５】
入力装置３１５は、例えば１つ以上のボタンを有するキーパッド、キーボード、マウス、ペン、マイク、１つ以上の生体認証機構などの、ユーザーが携帯機器１１０−Ｂに情報や命令を入力することを可能にする装置を含むことができる。出力装置３２０は、ユーザーに視覚情報を出力するディスプレイや他の装置と同様に、ユーザーに可聴音を出力するスピーカーを含むことができる。
【００３６】
電力供給装置３２５は、第１聴取装置１２０の要素に電力を供給するため、バッテリーや同様なものを含むことができる。短距離無線送受信機３３５は、音源装置１１０などの１つ以上のブルートゥースが使用可能な装置と共に、ブルートゥースプロトコル（又は、他の適切な短距離無線プロトコル）を用いてデータと制御信号の交換が可能な送受信機器を含むことができる。
【００３７】
ＦＭ送信機３３０は、短距離無線送受信機３３５を介して受信された音声信号を受信し、この信号をＦＭ無線信号で放送可能な送信機を含むことができる。別の実施形態では、ＦＭ送信機３３０は、例えば振幅変調（ＡＭ）等の他の変調方式を用いて無線信号を放送することができる。一実施形態では、ＦＭ送信機３３０の起動と設定は、入力装置３１５、出力装置３２０、処理ロジック３０５を介して第１聴取装置１２０で実行されることができる。代わりに、ＦＭ送信機３３０の起動と設定は、短距離無線送受信機３３５や他の好適な機構（例えば、ユニバーサル・シリアル・バス接続）を介して、音源装置１１０に関連して第１聴取装置１２０に送信される命令により、音源装置１１０で実行されても良い。
【００３８】
アンテナ３４０、３４５は、例えば、各々、短距離無線送受信機３３５とＦＭ送信機３３０に関連する１つ以上の指向性アンテナ、および／または無指向性アンテナを含むことができる。
【００３９】
以下に詳述されるように、音源装置１１０は、第１の通信プロトコル又は形式を用いて第１聴取装置１２０に音声信号を送信するために短距離無線送受信機２３０を使用することができる。第１聴取装置１２０で受信した命令に基づいて、音源装置１１０から受信した音声信号に関連するＦＭ音声信号は、第２聴取装置１３０に中継されることができる。一実施形態では、ＦＭ送受信機３３０による音声信号が中継されると、出力装置３２０（例えば、スピーカー）の音声出力は、中止され、又は中断されることができる。
【００４０】
このように、ユーザーは、音源装置１１０で発生した音声信号を聞くことで、第１聴取装置１２０と音源装置１１０によって使用される短距離通信プロトコルを介して音声信号を受信することに対応しない装置を含む多くの異なる聴取装置について行くことができる。音源装置１１０と第１聴取装置１２０は、各々メモリ２１０、３１０などのコンピュータ可読媒体に含まれているソフトウェア命令をそれぞれ実行しながら、各々処理ロジック２０５、３０５に応えてこれらの動作と他の動作を実行することができる。コンピュータ可読媒体は、物理的または論理的メモリ装置として定義することができる。
【００４１】
ソフトウェア命令は、例えば短距離無線送受信機２３０／３３５や無線ロジック２４５を介して、他のコンピュータ可読媒体や他の装置からメモリ２１０、３１０に読み込むことができる。メモリ２１０／３１０に含まれるソフトウェア命令は、処理ロジック２０５／３０５に後に説明される処理を実行させることができる。代わりに、ハードウェア回路は、発明の原理に相応する処理を実施するために、ソフトウェア命令の代わりにまたは組み合わせて使用することができる。従って、発明の原理に相応する実施は、ハードウェア回路とソフトウェアの特定の組み合わせに限定されない。
【００４２】
[処理の一例]
図４は、音源装置１１０に無線で接続された第１聴取装置１２０に組み入れられたＦＭ送信機を介して、音源装置１１０から第２聴取装置１３０への音声中継を促進する処理の一例を示すフローチャートである。この処理では、音源装置１１０と第１聴取装置１２０が、予め短距離無線接続を確立しているものと仮定する。
【００４３】
処理は、第１聴取装置１２０によるＦＭ送信機設定情報の受領から始めることができる（ブロック４００）。受領したＦＭ送信機の設定情報は、送信周波数に関する命令と、音源装置１１０から受信した音声の処理に関する音声処理命令とを含むことができる。上述したように、一実施形態では、ＦＭ送信機３３０のための設定情報は、音源装置１１０で受け取られ、例えば短距離無線送受信機２３０を介して第１音声装置へ渡されても良い。他の実施例で、ＦＭ送信機３３０のための設定情報は、第１聴取装置１２０において入力装置３１５を介して直接受け取られても良い。
【００４４】
ＦＭ送受信機設定情報を受領すると、ＦＭ送信機３３０が有効化されるべきかを判断することができる（ブロック４０５）。もし、ＦＭ送信機３３０が有効化されるべきでなければ（ブロック４０５：ＮＯ）、ＦＭ送信機３３０は停止することができ（既に作動中であれば）（ブロック４１０）、処理は、次の設定命令の受領を待つためにブロック４００に戻ることができる。受け取った設定情報に基づき、ＦＭ送信機３３０が有効化されるべきであると判断された場合には（ブロック４０５：ＹＥＳ）、ＦＭ送信機３３０は、受け取った設定情報に示される周波数で作動する（ブロック４１５）。
【００４５】
通話や他の非音楽音声信号は、音源装置１１０で受信することができる（ブロック４２０）。受領した設定情報に基づいて、非音楽音声がＦＭ送信機３３０で送信されるかどうか、又は非音楽音声が第１聴取装置１２０で保持されているかどうかを判断できる（ブロック４２５）。非音楽音声がＦＭ送信機３３０で送信されると判断された場合は（ブロック４２５：ＹＥＳ）、第１聴取装置１２０で受信した全ての音声は、ＦＭ送信機３３０で送信することができる（ブロック４３０）。この操作モードで、ＦＭ送信機３３０は、音源装置１１０、第１聴取装置１２０、第２聴取装置１３０を含むスピーカーフォンシステムに組み込まれることができる。
【００４６】
代わりに、非音楽音声がＦＭ送信機３３０で送信されないと判断された場合は（ブロック４２５：Ｙｅｓ）、ＦＭ送信機３３０で送信される音声信号は、音を弱められ、非音楽音声は第１聴取装置１２０に保持されることができる（ブロック４３５）。この操作モードで、潜在的に慎重に扱うべき個人的な通話音声は、ＦＭ送信機で送信されない。しかしながら、非音楽音声の期間にＦＭ送受信機３３０の停止よりも、放送を消音することで、通話中に第２聴取装置１２０が静的又は他の音声信号を出力しないことを確実にする。その結果、通話中のユーザーの経験が増加することになる。他の実施形態では（不図示）、非音楽音声が第１聴取装置１２０で操作されていても、第１聴取装置１２０は、非電話音声（例えば、音楽）をＦＭ送信機３３０で送信し続けることができる。一実施形態では、例えば着信音などの警告音声は、電話の通話の処理が選択されていても、ＦＭ送信機３３０で送信される。このように、ユーザーは、音源装置１１０や第１聴取装置１２０ですら操作しなくても、電話の着信に気付くことができる。
【００４７】
第１聴取装置１２０は、音源装置１１０から非音楽音声信号が終了したことの指示を受信することができる（ブロック４４０）。第１聴取装置１２０は、受信した音声信号をＦＭ送受信機３３０により放送し続けることができる（ブロック４４５）。追加のＦＭ送受信機設定情報（例えば、ＦＭ送受信機３３０を停止させる命令）を受け取るために、処理がブロック４００の処理を継続することができる。
【００４８】
図５は、音源装置１１０においてＦＭ送信機設定情報を受け取るためのグラフィックユーザーインターフェース（ＧＵＩ）５００の一例を示す図である。図示されているように、ＧＵＩ５００は、有効化ＦＭ送信機オプション５１０、周波数選択要素５１５、通話中にＦＭ放送の音を弱めるオプション５２０、スピーカーフォンオプション５２５を含む、ＦＭ送信機３３０に関連する複数の環境設定を含んでいる。一実施形態では、ＧＵＩ５００は、キーパッド１４５の適切なキー操作によって生成される選択に伴い、音源装置１１０の表示部１１５に提供されることができる。
【００４９】
有効化ＦＭ送信機オプション５１０は、第１聴取装置１２０のＦＭ送受信機３３０が作動することを表示する各種の選択可能な要素を含むことができる。オプション５１０の選択があると、音源装置１１０は、周波数選択要素５１５の値で指示された周波数でＦＭ送受信機３３０の作動を開始する好ましい命令を第１聴取装置１２０に送信することができる。いくつかの実施形態では、周波数選択要素５１５で使用できるＦＭ送信周波数は、いくつかの好ましい規則や規格に従って限定されることができる。音源装置１１０が、例えば音楽、電話通信、アラーム、警報等の１種類以上の音声信号を扱うように構成されている場合には、ＧＵＩ５００は、いくつか又は全ての可能性がある音声タイプを扱うことを指示するように構成することができる。
【００５０】
図５に示されているように、音源装置１１０が携帯無線電話機である場合は、ＧＵＩ５００は、オプション５２０経由で、電話通話の受信中に作動中のＦＭ放送の音を弱めることができるオプションを含むことができる。代わりに、ユーザーは、オプション５２５を選択することで、音源装置１１０に関連するスピーカーフォンシステムの一部として第２聴取装置を利用することを選択できる。オプション５２５を選択することにより、ＦＭ送信機３３０により第２聴取装置１２０に中継される音楽は、音を弱められ、電話通話の音声入力をもたらす音源装置１１０のマイク１５５により、受信され又はセットされている電話通話に対応する音声に置き換えられる。
【００５１】
図６は、ＦＭ送信機の環境設定と作動情報を、第１聴取装置１２０内で直接受け取ることに適した、ディスプレー６１０とユーザーインターフェース６２０を有する第１聴取装置６００の一例を示す図である。図示されるように、ディスプレー６１０は、ＦＭ送信機３３０の放送周波数を表示するように構成できる。ユーザーインターフェース６２０は、ＦＭ送信機３３０や放送機能の操作のための作動命令、および／または他の音声処理命令を受け取るための一群のボタンや他のインターフェース要素を含むことができる。第１聴取装置６００内に直接これらの設定の配置を提供することにより、音源装置１１０と共に第１聴取装置６００における機能を対応する必要が、無くなる。その結果、第１聴取装置を多種多様な音源装置に適用させることができる。
【００５２】
音源装置（例えば、携帯電話）から第１種類の無線音声信号（例えば、ブルートゥース音声）を受信するように構成される第１聴取装置（例えば、無線ヘッドセット）に、音源装置から受信した音声を１つ以上の第２聴取装置（例えば、ＦＭラジオ）へ転送や中継が可能なＦＭ送信機を提供することにより、音源装置から音声を聞く際のユーザーの利便性が著しく増加することができる。ユーザーは、音楽を聴くことを中断して、音源を変更するか、代替手段（例えば、有線接続やアダプター）により音源装置を第２聴取装置に接続するかの一方を強いられずに、第１聴取装置から第２聴取装置への音楽の楽しみを途切れなく続けることができる。
【００５３】
[結論]
ここで説明されている実施形態は、携帯電子装置の無線音楽性能の利便性を著しく向上させるためのシステムや方法を提供することができる。１つの実施例において、第１聴取装置に設けられたＦＭ送信機は、音源装置から受信した音声信号を、１つ以上の第２聴取装置に中継することができる。
【００５４】
前述した発明の好適な実施形態の説明は、図や説明を提供するものであり、開示された特定の形態に発明を包括したり限定するものでは無い。改良や変形は、上述した技術を踏まえて可能であり、また発明の実施から得ることができる。例えば、上記の説明は、音源装置と第１聴取装置の間の無線通信の確立にブルートゥースプロトコルを用いることに重点を置いていたが、当然のことながら他の無線通信プロトコル（例えば、Ｗｉｍａｘ、８０２．１１技術など）を、代わりに装置間の通信確立に用いることができる。
【００５５】
図４に関して一連の処理が説明されているが、ブロックの命令は、発明の原理と一致する他の実施例に改良できる。さらに、独立したブロックを、並行して実行することができる。
【００５６】
上述したように、発明の態様が、上述したように、図示された実施例の中のソフトウェア、ファームウェア、ハードウェアの多くの異なる形態で実施することができることは、当業者にとって明らかである。発明の原理に相応する実施形態で使用される実際のソフトウェアのコードや特殊処理のハードウェアは、発明を限定しない。従って、態様の操作や動きは特定のソフトウェアコードを言及せずに説明されている−当然のことながら、ここでの説明に基づいて態様を実施するソフトウェアや処理ハードウェアを設計できる。
【００５７】
特定の組み合わせが請求項に列挙され、および／または明細書に開示されているけれども、これらの組み合わせは、発明を限定するものでは無い。実際、これらの機能の多くは、明確に請求項に列挙され、および／または明細書に開示されていない方法で、組み合わせることができる。
【００５８】
さらに、発明のいくつかの部分は、１つ以上の機能を実行する「ロジック」として実現することができる。このロジックは、例えば特定用途向け集積回路やフィールド・プログラマブル・ゲート・アレイなどのハードウェア、ソフトウェア、ハードウェアとソフトウェアの組み合わせを含むことができる。この明細書で使用されている「含む」という用語は、定められた特性、整数、ステップ、要素の存在を明記していると強調されるべきであり、１つ以上の他の特性、整数、ステップ、要素、それに関するグループの存在や追加を排除するものではない。
【００５９】
もし明確に説明されていなければ、本願で使用されている要素、動作、命令は、発明に不可欠または必須であると解釈されるべきで無い。また、ここで使われているように、「ａ」とうい冠詞は、１つ以上の項目を含み得る。１つの項目のみを意図している場合には、「１つ」という用語または類似の言葉が使われる。さらに、「基づいて」という表現は、他に明確に述べられていなければ「少なくとも一部に基づいて」と意味し得る。
【図１】
2011514019.tif 000003
【図２】
2011514019.tif 000004
【図３】
2011514019.tif 000005
【図４】
2011514019.tif 000006
【図５】
2011514019.tif 000007
【図６】
2011514019.tif 000008
【手続補正書】
【提出日】平成21年3月20日(2009.3.20)
【手続補正１】
【補正対象書類名】特許請求の範囲
【補正対象項目名】全文
【補正方法】変更
【補正の内容】
【特許請求の範囲】
【請求項１】
第１聴取装置によって第１の無線通信プロトコルを介して、音源装置から音楽音声信号と非音楽音声信号のうちの１つを受信し、
前記第１聴取装置に設けられ、前記第１の無線通信プロトコルとは異なる第２の無線通信プロトコルに関連がある送信機を起動する命令を受け取り、
音楽音声信号が前記第１聴取装置によって受信された場合に、前記送信機と前記第２の無線通信プロトコルを介して、前記音楽音声信号を前記第１聴取装置から第２聴取装置に伝送し、
非音楽音声信号が前記第１聴取装置によって受信された場合に、前記非音楽音声信号の前記第２聴取装置への伝送を阻止する一方で、前記非音楽音声信号を前記第１聴取装置によって出力すること
を含む方法。
【請求項２】
前記第１の無線通信プロトコルは、短距離高周波無線通信プロトコルを含む、請求項１記載の方法。
【請求項３】
前記短距離高周波無線通信プロトコルは、ブルートゥースプロトコルを含む、請求項２記載の方法。
【請求項４】
前記第２の無線通信プロトコルは、周波数変調（ＦＭ）無線信号伝送又は振幅変調（ＡＭ）無線信号伝送のうちの１つを含む、請求項１記載の方法。
【請求項５】
送信機を起動する命令を受け取ることは、前記受信した音楽又は非音楽音声信号を出力する周波数を指定する、前記送信機に関連する環境設定を受け取ることを更に含む、請求項１記載の方法。
【請求項６】
前記環境設定を受け取ることは、前記音源装置から受信された非音楽音声がどのように処理されるかを指定する非音楽音声処理命令を受け取ることを更に含む、請求項５記載の方法。
【請求項７】
前記非音楽音声処理命令は、前記送信機による前記非音楽音声信号の出力を阻止する複数の命令のうちの１つを含む、請求項６記載の方法。
【請求項８】
前記非音楽音声信号は、電話の通話音声を含む、請求項６記載の方法。
【請求項９】
非音楽音声処理命令を受け取り、
前記受け取った非音楽音声処理命令に基づき、前記送信機による前記第２聴取装置への前記非音楽音声信号の出力を阻止すること
を更に含む、請求項１記載の方法。
【請求項１０】
前記送信機を介した前記非音楽音声信号の出力を阻止することは、非音楽音声信号を受信する期間に、前記送信機の音を弱めることを含む、請求項９記載の方法。
【請求項１１】
前記非音楽音声信号は、電話の通話を含む、請求項９記載の方法。
【請求項１２】
無線聴取装置であって、
第１の無線通信プロトコルを介して、音源装置から音楽音声又は非音楽音声のうちの１つを受信する短距離無線送受信機と、
前記第１の無線通信プロトコルとは異なる第２の無線通信プロトコルを介して、音楽音声又は非音楽音声のうちの１つを出力する送信機と、
設定命令を受け取り、
音楽音声が前記短距離無線送受信機によって受信された場合に、前記送信機に前記第２の無線通信プロトコルを介して前記無線聴取装置から他の聴取装置への前記音楽音声の伝送を行わせるために、前記設定命令に応じて前記送信機を起動し、
非音楽音声が前記短距離無線送受信機によって受信された場合に、前記設定命令に応じて前記非音楽音声を自装置によって出力し、
非音楽音声が前記短距離無線送受信機によって受信された場合に、前記設定命令に応じて、前記送信機による非音楽音声の伝送を阻止する処理装置と
を含む無線聴取装置。
【請求項１３】
前記第２の無線通信プロトコルは、周波数変調（ＦＭ）放送を含む、請求項１２記載の無線聴取装置。
【請求項１４】
前記設定命令を受け取るための入力装置を更に含む、請求項１２記載の無線聴取装置。
【請求項１５】
前記設定命令は、送信機起動命令と、前記受信した非音楽音声を前記送信機が出力する放送周波数とを含む、請求項１２記載の無線聴取装置。
【請求項１６】
前記設定命令は、非音楽音声処理命令を含む、請求項１２記載の無線聴取装置。
【請求項１７】
前記短距離無線送受信機は、ブルートゥース送受信機を含む、請求項１２記載の無線聴取装置。
【請求項１８】
第１の装置であって、
音楽音声信号と非音楽音声信号を含む音声信号をブルートゥース接続を介して音源装置から受信する手段と、
非音楽音声処理命令を受け取る手段と、
前記受け取った非音楽音声処理命令に応じて、前記第１の装置によって前記非音楽音声信号を出力する手段と、
周波数変調（ＦＭ）周波数信号を介して、前記音楽音声信号を第２の装置に伝送する手段と、
前記受け取った非音楽音声処理命令に基づいて、前記非音楽音声信号の前記第２の装置への伝送を阻止する手段と
を含む第１の装置。
【請求項１９】
前記非音楽音声処理命令は、前記受信された非音楽音声信号が前記第１の装置によって出力されるか否かを指示する、請求項１８記載の装置。
【請求項２０】
前記非音楽音声が前記第１の装置によって出力されないことを前記非音楽音声処理命令が指示する場合は、前記非音楽音声信号の音を弱める手段を更に含む、請求項１９記載の装置。
【請求項２１】
前記非音楽音声が前記第１の装置によって出力されることを前記非音楽音声処理命令が指示する場合は、スピーカーフォン機能を起動する手段を更に含む、請求項１９記載の装置。
【手続補正書】
【提出日】平成22年6月25日(2010.6.25)
【手続補正１】
【補正対象書類名】特許請求の範囲
【補正対象項目名】全文
【補正方法】変更
【補正の内容】
【特許請求の範囲】
【請求項１】
第１聴取装置によって第１の無線通信プロトコルを介して、音源装置から音楽音声信号と非音楽音声信号のうちの１つを受信し、
前記第１聴取装置に設けられ、前記第１の無線通信プロトコルとは異なる第２の無線通信プロトコルに関連がある送信機を起動する命令を受け取り、
音楽音声信号が前記第１聴取装置によって受信された場合に、前記送信機と前記第２の無線通信プロトコルを介して、前記音楽音声信号を前記第１聴取装置から第２聴取装置に伝送し、
非音楽音声信号が前記第１聴取装置によって受信された場合に、前記非音楽音声信号の前記第２聴取装置への伝送を阻止する一方で、前記非音楽音声信号を前記第１聴取装置によって出力すること
を含む方法。
【請求項２】
前記第１の無線通信プロトコルは、短距離高周波無線通信プロトコルを含み、
前記第２の無線通信プロトコルは、周波数変調（ＦＭ）無線信号伝送又は振幅変調（ＡＭ）無線信号伝送のうちの１つを含む、請求項１記載の方法。
【請求項３】
送信機を起動する命令を受け取ることは、前記受信した音楽又は非音楽音声信号を出力する周波数を指定する、前記送信機に関連する環境設定を受け取ることを更に含む、請求項１記載の方法。
【請求項４】
前記環境設定を受け取ることは、前記音源装置から受信された非音楽音声がどのように処理されるかを指定する非音楽音声処理命令を受け取ることを更に含む、請求項３記載の方法。
【請求項５】
非音楽音声処理命令を受け取り、
前記受け取った非音楽音声処理命令に基づき、前記送信機による前記第２聴取装置への前記非音楽音声信号の出力を阻止すること
を更に含み、
前記送信機を介した前記非音楽音声信号の出力を阻止することは、非音楽音声信号を受信する期間に、前記送信機の音を弱めることを含む、請求項１記載の方法。
【請求項６】
無線聴取装置であって、
第１の無線通信プロトコルを介して、音源装置から音楽音声又は非音楽音声のうちの１つを受信する短距離無線送受信機と、
前記第１の無線通信プロトコルとは異なる第２の無線通信プロトコルを介して、音楽音声又は非音楽音声のうちの１つを出力する送信機と、
設定命令を受け取り、
音楽音声が前記短距離無線送受信機によって受信された場合に、前記送信機に前記第２の無線通信プロトコルを介して前記無線聴取装置から他の聴取装置への前記音楽音声の伝送を行わせるために、前記設定命令に応じて前記送信機を起動し、
非音楽音声が前記短距離無線送受信機によって受信された場合に、前記設定命令に応じて前記非音楽音声を自装置によって出力し、
非音楽音声が前記短距離無線送受信機によって受信された場合に、前記設定命令に応じて、前記送信機による非音楽音声の伝送を阻止する処理装置と
を含む無線聴取装置。
【請求項７】
前記第２の無線通信プロトコルは、周波数変調（ＦＭ）放送を含む、請求項６記載の無線聴取装置。
【請求項８】
前記設定命令は、送信機起動命令と、前記受信した非音楽音声を前記送信機が出力する放送周波数とを含む、請求項６記載の無線聴取装置。
【請求項９】
第１の装置であって、
音楽音声信号と非音楽音声信号を含む音声信号をブルートゥース接続を介して音源装置から受信する手段と、
非音楽音声処理命令を受け取る手段と、
前記受け取った非音楽音声処理命令に応じて、前記第１の装置によって前記非音楽音声信号を出力する手段と、
周波数変調（ＦＭ）周波数信号を介して、前記音楽音声信号を第２の装置に伝送する手段と、
前記受け取った非音楽音声処理命令に基づいて、前記非音楽音声信号の前記第２の装置への伝送を阻止する手段と
を含む第１の装置。
【請求項１０】
前記非音楽音声処理命令は、前記受信された非音楽音声信号が前記第１の装置によって出力されるか否かを指示し、
前記第１の装置は、
前記非音楽音声が前記第１の装置によって出力されないことを前記非音楽音声処理命令が指示する場合は、前記非音楽音声信号の音を弱める手段と、
前記非音楽音声が前記第１の装置によって出力されることを前記非音楽音声処理命令が指示する場合は、スピーカーフォン機能を起動する手段を更に含む、請求項９記載の装置。

【国際調査報告】
2011514019.tif 000009
2011514019.tif 000010